(57)【特許請求の範囲】
【請求項１】
第１セルを形成する第１無線基地局と、
前記第１セル内に前記第１セルよりも面積が小さい第２セルを各々が形成する複数の第２無線基地局と、
前記第１セルおよび前記第２セルのうち移動局自身が在圏する在圏セルに対応する前記第１無線基地局および前記第２無線基地局の各々との間で電波を送受信して無線通信を実行可能な無線通信部を各々が備える複数の移動局と
を備える無線通信システムであって、
複数の前記移動局の各々は、
当該移動局が在圏する第１セルおよび第２セルに対応する第１無線基地局および第２無線基地局の各々から送信される電波に関する第１受信特性値および第２受信特性値を前記各電波について測定する特性値測定部と、
前記第１無線基地局および前記第２無線基地局の各々に対応する前記第１受信特性値および前記第２受信特性値を前記無線通信部を介して前記第１無線基地局に報告する特性値報告部とをさらに備え、
前記第１無線基地局は、
複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定する接続先判定部と、
複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類する移動局分類部と、
前記第２移動局群内の移動局のうち、前記第１無線基地局に接続すべきと前記接続先判定部に判定される第１受信特性値を有する移動局の数が減少するように、前記第２移動局群内の移動局の各々が測定した、前記第１無線基地局に対応する前記第１受信特性値と前記第２無線基地局に対応する前記第１受信特性値との差分値の分布に基づいて、複数の前記移動局の各々が測定した前記第２無線基地局の各々に対応する前記第１受信特性値を補正する補正値を設定する補正値設定部と、
前記補正値設定部で設定された前記補正値を複数の前記移動局に通知する補正値通知部とを備え、
複数の前記移動局の各々は、
前記第１無線基地局の前記補正値通知部から通知された前記補正値を用いて、前記特性値測定部で測定された前記第２無線基地局から送信される電波に関する前記第１受信特性値を補正する特性値補正部をさらに備え、
前記第１無線基地局または複数の前記移動局の各々は、
前記第１無線基地局に対応する前記第１受信特性値と前記補正値により補正された前記第２無線基地局に対応する第１受信特性値とのうち、最も良好な第１受信特性値に対応する無線基地局を当該移動局が接続すべき無線基地局として選択する接続先選択部を備える
無線通信システム。
【請求項２】
前記第１無線基地局の前記補正値設定部は、前記第２移動局群内の移動局のうち、前記第１無線基地局に接続すべきと前記接続先判定部に判定される第１受信特性値を有する移動局の数が最少となるように、複数の前記移動局の各々が測定した前記第２無線基地局の各々に対応する前記第１受信特性値を補正する前記補正値を設定する
請求項１の無線通信システム。
【請求項３】
第１セルを形成する第１無線基地局と、
前記第１セル内に前記第１セルよりも面積が小さい第２セルを各々が形成する複数の第２無線基地局と、
前記第１セルおよび前記第２セルのうち移動局自身が在圏する在圏セルに対応する前記第１無線基地局および前記第２無線基地局の各々との間で電波を送受信して無線通信を実行可能な無線通信部を各々が備える複数の移動局と
を備える無線通信システムであって、
複数の前記移動局の各々は、
当該移動局が在圏する第１セルおよび第２セルに対応する第１無線基地局および第２無線基地局の各々から送信される電波に関する第１受信特性値および第２受信特性値を前記各電波について測定する特性値測定部と、
前記第１無線基地局および前記第２無線基地局の各々に対応する前記第１受信特性値および前記第２受信特性値を前記無線通信部を介して前記第１無線基地局に報告する特性値報告部とをさらに備え、
前記第１無線基地局は、
複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定する接続先判定部と、
複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類する移動局分類部と、
前記第１移動局群内の移動局のうち、前記第２無線基地局に接続すべきと前記接続先判定部に判定される第１受信特性値を有する移動局の数が減少するように、前記第１移動局群内の移動局の各々が測定した、前記第１無線基地局に対応する前記第１受信特性値と前記第２無線基地局に対応する前記第１受信特性値との差分値の分布に基づいて、複数の前記移動局の各々が測定した前記第２無線基地局の各々に対応する前記第１受信特性値を補正する補正値を設定する補正値設定部と、
前記補正値設定部で設定された前記補正値を複数の前記移動局に通知する補正値通知部とを備え、
複数の前記移動局の各々は、
前記第１無線基地局の前記補正値通知部から通知された前記補正値を用いて、前記特性値測定部で測定された前記第２無線基地局から送信される電波に関する前記第１受信特性値を補正する特性値補正部をさらに備え、
前記第１無線基地局または複数の前記移動局の各々は、
前記第１無線基地局に対応する前記第１受信特性値と前記補正値により補正された前記第２無線基地局に対応する第１受信特性値とのうち、最も良好な第１受信特性値に対応する無線基地局を当該移動局が接続すべき無線基地局として選択する接続先選択部を備える
無線通信システム。
【請求項４】
前記第１無線基地局の前記補正値設定部は、前記第１移動局群内の移動局のうち、前記第２無線基地局に接続すべきと前記接続先判定部に判定される第１受信特性値を有する移動局の数が最少となるように、複数の前記移動局の各々が測定した前記第２無線基地局の各々に対応する前記第１受信特性値を補正する前記補正値を設定する
請求項３の無線通信システム。
【請求項５】
第１セルを形成する第１無線基地局と、
前記第１セル内に前記第１セルよりも面積が小さい第２セルを各々が形成する複数の第２無線基地局と、
前記第１セルおよび前記第２セルのうち移動局自身が在圏する在圏セルに対応する前記第１無線基地局および前記第２無線基地局の各々との間で電波を送受信して無線通信を実行可能な無線通信部を各々が備える複数の移動局と
を備える無線通信システムであって、
複数の前記移動局の各々は、
当該移動局が在圏する第１セルおよび第２セルに対応する第１無線基地局および第２無線基地局の各々から送信される電波に関する第１受信特性値および第２受信特性値を前記各電波について測定する特性値測定部と、
前記第１無線基地局および前記第２無線基地局の各々に対応する前記第１受信特性値および前記第２受信特性値を前記無線通信部を介して前記第１無線基地局に報告する特性値報告部とをさらに備え、
前記第１無線基地局は、
複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定する接続先判定部と、
複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類する移動局分類部と、
前記第２移動局群内の移動局のうち前記第１無線基地局に接続すべきと前記接続先判定部に判定される第１受信特性値を有する移動局と、前記第１移動局群内の移動局のうち前記第２無線基地局に接続すべきと前記接続先判定部に判定される第１受信特性値を有する移動局との合計数が減少するように、前記第２移動局群内の移動局の各々が測定した、前記第１無線基地局に対応する前記第１受信特性値と前記第２無線基地局に対応する前記第１受信特性値との差分値の分布と、前記第１移動局群内の移動局の各々が測定した、前記第１無線基地局に対応する前記第１受信特性値と前記第２無線基地局に対応する前記第１受信特性値との差分値の分布とに基づいて、複数の前記移動局の各々が測定した前記第２無線基地局の各々に対応する前記第１受信特性値を補正する補正値を設定する補正値設定部と、
前記補正値設定部で設定された前記補正値を複数の前記移動局に通知する補正値通知部とを備え、
複数の前記移動局の各々は、
前記第１無線基地局の前記補正値通知部から通知された前記補正値を用いて、前記特性値測定部で測定された前記第２無線基地局から送信される電波に関する前記第１受信特性値を補正する特性値補正部をさらに備え、
前記第１無線基地局または複数の前記移動局の各々は、
前記第１無線基地局に対応する前記第１受信特性値と前記補正値により補正された前記第２無線基地局に対応する第１受信特性値とのうち、最も良好な第１受信特性値に対応する無線基地局を当該移動局が接続すべき無線基地局として選択する接続先選択部を備える
無線通信システム。
【請求項６】
前記第１無線基地局の前記補正値設定部は、前記第２移動局群内の移動局のうち前記第１無線基地局に接続すべきと前記接続先判定部に判定される第１受信特性値を有する移動局と、前記第１移動局群内の移動局のうち前記第２無線基地局に接続すべきと前記接続先判定部に判定される第１受信特性値を有する移動局との合計数が最少となるように、複数の前記移動局の各々が測定した前記第２無線基地局の各々に対応する前記第１受信特性値を補正する前記補正値を設定する
請求項５の無線通信システム。
【請求項７】
所定の第１インターバル毎に、
複数の前記移動局の各々が、前記第１受信特性値および前記第２受信特性値の測定および報告を実行し、前記第１無線基地局が、複数の前記移動局の各々が接続すべき無線基地局の判定、複数の前記移動局の分類、前記補正値の設定、および複数の前記移動局への前記補正値の通知を実行し、
前記第１インターバルよりも短い所定の第２インターバル毎に、
複数の前記移動局の各々が、前記第１受信特性値の測定、および、前記補正値を用いた、前記第２無線基地局からの前記電波に関する前記第１受信特性値の補正を実行し、前記第１無線基地局または複数の前記移動局の各々が、当該移動局が接続すべき無線基地局の選択を実行する
請求項１から６のいずれか１項に記載の無線通信システム。
【請求項８】
第１セルを形成する第１無線基地局と、
前記第１セル内に前記第１セルよりも面積が小さい第２セルを各々が形成する複数の第２無線基地局と、
前記第１セルおよび前記第２セルのうち移動局自身が在圏する在圏セルに対応する前記第１無線基地局および前記第２無線基地局の各々との間で電波を送受信して無線通信を実行可能な無線通信部と、当該移動局が在圏する第１セルおよび第２セルに対応する第１無線基地局および第２無線基地局の各々から送信される電波に関する第１受信特性値および第２受信特性値を前記各電波について測定する特性値測定部と、前記第１無線基地局および前記第２無線基地局の各々に対応する前記第１受信特性値および前記第２受信特性値を前記無線通信部を介して前記第１無線基地局に報告する特性値報告部と、を各々が備える複数の移動局と
を備える無線通信システムにおける第１無線基地局であって、
複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定する接続先判定部と、
複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類する移動局分類部と、
前記第２移動局群内の移動局のうち、前記第１無線基地局に接続すべきと前記接続先判定部に判定される第１受信特性値を有する移動局の数が減少するように、前記第２移動局群内の移動局の各々が測定した、前記第１無線基地局に対応する前記第１受信特性値と前記第２無線基地局に対応する前記第１受信特性値との差分値の分布に基づいて、複数の前記移動局の各々が測定した前記第２無線基地局の各々に対応する前記第１受信特性値を補正する補正値を設定する補正値設定部と、
前記補正値設定部で設定された前記補正値を複数の前記移動局に通知する補正値通知部とを備える
無線基地局。
【請求項９】
第１セルを形成する第１無線基地局と、
前記第１セル内に前記第１セルよりも面積が小さい第２セルを各々が形成する複数の第２無線基地局と、
前記第１セルおよび前記第２セルのうち移動局自身が在圏する在圏セルに対応する前記第１無線基地局および前記第２無線基地局の各々との間で電波を送受信して無線通信を実行可能な無線通信部と、当該移動局が在圏する第１セルおよび第２セルに対応する第１無線基地局および第２無線基地局の各々から送信される電波に関する第１受信特性値および第２受信特性値を前記各電波について測定する特性値測定部と、前記第１無線基地局および前記第２無線基地局の各々に対応する前記第１受信特性値および前記第２受信特性値を前記無線通信部を介して前記第１無線基地局に報告する特性値報告部と、を各々が備える複数の移動局と
を備える無線通信システムにおける第１無線基地局であって、
複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定する接続先判定部と、
複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類する移動局分類部と、
前記第１移動局群内の移動局のうち、前記第２無線基地局に接続すべきと前記接続先判定部に判定される第１受信特性値を有する移動局の数が減少するように、前記第１移動局群内の移動局の各々が測定した、前記第１無線基地局に対応する前記第１受信特性値と前記第２無線基地局に対応する前記第１受信特性値との差分値の分布に基づいて、複数の前記移動局の各々が測定した前記第２無線基地局の各々に対応する前記第１受信特性値を補正する補正値を設定する補正値設定部と、
前記補正値設定部で設定された前記補正値を複数の前記移動局に通知する補正値通知部とを備える
無線基地局。
【請求項１０】
第１セルを形成する第１無線基地局と、
前記第１セル内に前記第１セルよりも面積が小さい第２セルを各々が形成する複数の第２無線基地局と、
前記第１セルおよび前記第２セルのうち移動局自身が在圏する在圏セルに対応する前記第１無線基地局および前記第２無線基地局の各々との間で電波を送受信して無線通信を実行可能な無線通信部と、当該移動局が在圏する第１セルおよび第２セルに対応する第１無線基地局および第２無線基地局の各々から送信される電波に関する第１受信特性値および第２受信特性値を前記各電波について測定する特性値測定部と、前記第１無線基地局および前記第２無線基地局の各々に対応する前記第１受信特性値および前記第２受信特性値を前記無線通信部を介して前記第１無線基地局に報告する特性値報告部と、を各々が備える複数の移動局と
を備える無線通信システムにおける第１無線基地局であって、
複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定する接続先判定部と、
複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類する移動局分類部と、
前記第２移動局群内の移動局のうち前記第１無線基地局に接続すべきと前記接続先判定部に判定される第１受信特性値を有する移動局と、前記第１移動局群内の移動局のうち前記第２無線基地局に接続すべきと前記接続先判定部に判定される第１受信特性値を有する移動局との合計数が減少するように、前記第２移動局群内の移動局の各々が測定した、前記第１無線基地局に対応する前記第１受信特性値と前記第２無線基地局に対応する前記第１受信特性値との差分値の分布と、前記第１移動局群内の移動局の各々が測定した、前記第１無線基地局に対応する前記第１受信特性値と前記第２無線基地局に対応する前記第１受信特性値との差分値の分布とに基づいて、複数の前記移動局の各々が測定した前記第２無線基地局の各々に対応する前記第１受信特性値を補正する補正値を設定する補正値設定部と、
前記補正値設定部で設定された前記補正値を複数の前記移動局に通知する補正値通知部とを備える
無線基地局。
【請求項１１】
第１セルを形成する第１無線基地局と、
前記第１セル内に前記第１セルよりも面積が小さい第２セルを各々が形成する複数の第２無線基地局と、
前記第１セルおよび前記第２セルのうち移動局自身が在圏する在圏セルに対応する前記第１無線基地局および前記第２無線基地局の各々との間で電波を送受信して無線通信を実行可能な無線通信部を各々が備える複数の移動局と
を備える無線通信システムにおける通信制御方法であって、
複数の前記移動局の各々が、当該移動局が在圏する第１セルおよび第２セルに対応する第１無線基地局および第２無線基地局の各々から送信される電波に関する第１受信特性値および第２受信特性値を前記各電波について測定し、前記第１無線基地局および前記第２無線基地局の各々に対応する前記第１受信特性値および前記第２受信特性値を前記無線通信部を介して前記第１無線基地局に報告し、
複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定し、
複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類し、
前記第２移動局群内の移動局のうち、前記第１無線基地局に接続すべきと判定される第１受信特性値を有する移動局の数が減少するように、前記第２移動局群内の移動局の各々が測定した、前記第１無線基地局に対応する前記第１受信特性値と前記第２無線基地局に対応する前記第１受信特性値との差分値の分布に基づいて、複数の前記移動局の各々が測定した前記第２無線基地局の各々に対応する前記第１受信特性値を補正する補正値を設定し、
設定された前記補正値を複数の前記移動局に通知し、
複数の前記移動局の各々が、前記第１無線基地局から通知された前記補正値を用いて、測定された前記第２無線基地局から送信される電波に関する前記第１受信特性値を補正し、
前記第１無線基地局に対応する前記第１受信特性値と前記補正値により補正された前記第２無線基地局に対応する第１受信特性値とのうち、最も良好な第１受信特性値に対応する無線基地局を当該移動局が接続すべき無線基地局として選択する
通信制御方法。
【請求項１２】
第１セルを形成する第１無線基地局と、
前記第１セル内に前記第１セルよりも面積が小さい第２セルを各々が形成する複数の第２無線基地局と、
前記第１セルおよび前記第２セルのうち移動局自身が在圏する在圏セルに対応する前記第１無線基地局および前記第２無線基地局の各々との間で電波を送受信して無線通信を実行可能な無線通信部を各々が備える複数の移動局と
を備える無線通信システムにおける通信制御方法であって、
複数の前記移動局の各々が、当該移動局が在圏する第１セルおよび第２セルに対応する第１無線基地局および第２無線基地局の各々から送信される電波に関する第１受信特性値および第２受信特性値を前記各電波について測定し、前記第１無線基地局および前記第２無線基地局の各々に対応する前記第１受信特性値および前記第２受信特性値を前記無線通信部を介して前記第１無線基地局に報告し、
複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定し、
複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類し、
前記第１移動局群内の移動局のうち、前記第２無線基地局に接続すべきと判定される第１受信特性値を有する移動局の数が減少するように、前記第１移動局群内の移動局の各々が測定した、前記第１無線基地局に対応する前記第１受信特性値と前記第２無線基地局に対応する前記第１受信特性値との差分値の分布に基づいて、複数の前記移動局の各々が測定した前記第２無線基地局の各々に対応する前記第１受信特性値を補正する補正値を設定し、
設定された前記補正値を複数の前記移動局に通知し、
複数の前記移動局の各々が、前記第１無線基地局から通知された前記補正値を用いて、測定された前記第２無線基地局から送信される電波に関する前記第１受信特性値を補正し、
前記第１無線基地局に対応する前記第１受信特性値と前記補正値により補正された前記第２無線基地局に対応する第１受信特性値とのうち、最も良好な第１受信特性値に対応する無線基地局を当該移動局が接続すべき無線基地局として選択する
通信制御方法。
【請求項１３】
第１セルを形成する第１無線基地局と、
前記第１セル内に前記第１セルよりも面積が小さい第２セルを各々が形成する複数の第２無線基地局と、
前記第１セルおよび前記第２セルのうち移動局自身が在圏する在圏セルに対応する前記第１無線基地局および前記第２無線基地局の各々との間で電波を送受信して無線通信を実行可能な無線通信部を各々が備える複数の移動局と
を備える無線通信システムにおける通信制御方法であって、
複数の前記移動局の各々が、当該移動局が在圏する第１セルおよび第２セルに対応する第１無線基地局および第２無線基地局の各々から送信される電波に関する第１受信特性値および第２受信特性値を前記各電波について測定し、前記第１無線基地局および前記第２無線基地局の各々に対応する前記第１受信特性値および前記第２受信特性値を前記無線通信部を介して前記第１無線基地局に報告し、
複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定し、
複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類し、
前記第２移動局群内の移動局のうち前記第１無線基地局に接続すべきと判定される第１受信特性値を有する移動局と、前記第１移動局群内の移動局のうち前記第２無線基地局に接続すべきと判定される第１受信特性値を有する移動局との合計数が減少するように、前記第２移動局群内の移動局の各々が測定した、前記第１無線基地局に対応する前記第１受信特性値と前記第２無線基地局に対応する前記第１受信特性値との差分値の分布と、前記第１移動局群内の移動局の各々が測定した、前記第１無線基地局に対応する前記第１受信特性値と前記第２無線基地局に対応する前記第１受信特性値との差分値の分布とに基づいて、複数の前記移動局の各々が測定した前記第２無線基地局の各々に対応する前記第１受信特性値を補正する補正値を設定し、
設定された前記補正値を複数の前記移動局に通知し、
複数の前記移動局の各々が、前記第１無線基地局から通知された前記補正値を用いて、測定された前記第２無線基地局から送信される電波に関する前記第１受信特性値を補正し、
前記第１無線基地局に対応する前記第１受信特性値と前記補正値により補正された前記第２無線基地局に対応する第１受信特性値とのうち、最も良好な第１受信特性値に対応する無線基地局を当該移動局が接続すべき無線基地局として選択する
通信制御方法。
【発明の詳細な説明】
【技術分野】
【０００１】
本発明は、無線通信システムおよび通信制御方法に関する。
【背景技術】
【０００２】
近年、送信電力（送信能力）が相異なる複数種の無線基地局（マクロ基地局、ピコ基地局、フェムト基地局、リモートラジオヘッド（Remote Radio Head）等）を重層的に設置したヘテロジーニアスネットワーク（Heterogeneous Network，HetNet）が提案されている。ヘテロジーニアスネットワークにおいては、送信電力の大きい基地局（例えばマクロ基地局）の方が、送信電力の小さい基地局（例えばピコ基地局）と比較して、セルサーチまたはハンドオーバの段階でユーザ装置の無線接続先として選択されやすい。したがって、送信電力の大きい基地局にユーザ装置からの接続が集中し、ひいては通信負荷が過大となる傾向がある。
【０００３】
以上の問題を解消するために、例えば特許文献１には、無線通信システムの負荷、トラヒック量等のパラメータに応じて、移動局が受信する電力レベルを数値的に低減させるオフセット値（補正値）を変更することにより、通信セル境界を可変に制御する技術が開示されている。特許文献１の移動局は、オフセットされた電力レベル（受信電力）に基づいて接続先の基地局（マクロセル基地局，マイクロセル基地局）を選択する。
【先行技術文献】
【特許文献】
【０００４】
【特許文献１】特開２００７−５１４３６７号公報
【発明の概要】
【発明が解決しようとする課題】
【０００５】
しかしながら、無線通信システムの負荷、トラヒック量等のパラメータに応じて、移動局が受信する電力レベルを数値的に低減させる補正値を変更する特許文献１の構成によると、雑音電力および他の無線基地局からの干渉等（すなわち、希望波以外の成分）が希望波に与える影響が無線接続先の選択に適切に反映されないので、ユーザ装置の無線接続先が適切に選択されない可能性がある。
【０００６】
以上の事情を考慮して、本発明は、送信電力（送信能力）が相異なる複数種の無線基地局を含む無線通信システムにおいて、ユーザ装置（移動局）の無線接続先の選択がより適切となるように、希望波以外の成分が希望波に与える影響を考慮して、無線接続先の選択のための特性値（受信電力等）を補正することを目的とする。
【課題を解決するための手段】
【０００７】
本発明に係る無線通信システムは、第１セルを形成する第１無線基地局と、前記第１セル内に前記第１セルよりも面積が小さい第２セルを各々が形成する複数の第２無線基地局と、前記第１セルおよび前記第２セルのうち移動局自身が在圏する在圏セルに対応する前記第１無線基地局および前記第２無線基地局の各々との間で電波を送受信して無線通信を実行可能な無線通信部を各々が備える複数の移動局とを備える無線通信システムであって、複数の前記移動局の各々は、当該移動局が在圏する第１セルおよび第２セルに対応する第１無線基地局および第２無線基地局の各々から送信される電波に関する第１受信特性値および第２受信特性値を前記各電波について測定する特性値測定部と、前記第１無線基地局および前記第２無線基地局の各々に対応する前記第１受信特性値および前記第２受信特性値を前記無線通信部を介して前記第１無線基地局に報告する特性値報告部とをさらに備え、前記第１無線基地局は、複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定する接続先判定部と、複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類する移動局分類部と、前記第２移動局群内の移動局のうち、前記第１無線基地局に接続すべきと前記接続先判定部に判定される第１受信特性値を有する移動局の数が減少するように、前記第２移動局群内の移動局の各々が測定した、前記第１無線基地局に対応する前記第１受信特性値と前記第２無線基地局に対応する前記第１受信特性値との差分値の分布に基づいて、複数の前記移動局の各々が測定した前記第２無線基地局の各々に対応する前記第１受信特性値を補正する補正値を設定する補正値設定部と、前記補正値設定部で設定された前記補正値を複数の前記移動局に通知する補正値通知部とを備え、複数の前記移動局の各々は、前記第１無線基地局の前記補正値通知部から通知された前記補正値を用いて、前記特性値測定部で測定された前記第２無線基地局から送信される電波に関する前記第１受信特性値を補正する特性値補正部をさらに備え、前記第１無線基地局または複数の前記移動局の各々は、前記第１無線基地局に対応する前記第１受信特性値と前記補正値により補正された前記第２無線基地局に対応する第１受信特性値とのうち、最も良好な第１受信特性値に対応する無線基地局を当該移動局が接続すべき無線基地局として選択する接続先選択部を備える。
【０００８】
「第１受信特性値」とは、移動局が受信しようとする電波（希望波）から算出される特性値であり、例えば、受信電力（Reference Signal Received Power）または受信品質（Reference Signal Received Quality）であり得る。一方、「第２受信特性値」とは、希望波と希望波以外の成分（例えば、希望波に対する雑音電力または干渉電力）とから算出される特性値であり、例えば、信号対干渉雑音比（Signal to Interference plus Noise Ratio）、信号対干渉比（Signal to Interference Ratio）、または信号対雑音比（Signal to Noise Ratio）であり得る。
以上の構成によれば、第２受信特性値により分類された第２移動局群内の移動局の各々が測定した、第１無線基地局に対応する第１受信特性値と第２無線基地局に対応する第１受信特性値との差分値の分布に基づいて設定された補正値により、移動局が接続すべき無線基地局の選択の際に用いられる第２無線基地局の第１受信特性値を補正するので、より良好な第２受信特性値を有する無線基地局が移動局の接続先として選択され易くなる。
【０００９】
好ましくは、前記第１無線基地局の前記補正値設定部は、前記第２移動局群内の移動局のうち、前記第１無線基地局に接続すべきと前記接続先判定部に判定される第１受信特性値を有する移動局の数が最少となるように、複数の前記移動局の各々が測定した前記第２無線基地局の各々に対応する前記第１受信特性値を補正する前記補正値を設定する。
以上の構成によれば、第２無線基地局の第２受信特性値がより高い第２移動局群内の移動局のうち、第１無線基地局に接続すべきと接続先判定部に判定される第１受信特性値を有する移動局の数がより減少し得る。
【００１０】
本発明に係る別の無線通信システムは、第１セルを形成する第１無線基地局と、前記第１セル内に前記第１セルよりも面積が小さい第２セルを各々が形成する複数の第２無線基地局と、前記第１セルおよび前記第２セルのうち移動局自身が在圏する在圏セルに対応する前記第１無線基地局および前記第２無線基地局の各々との間で電波を送受信して無線通信を実行可能な無線通信部を各々が備える複数の移動局とを備える無線通信システムであって、複数の前記移動局の各々は、当該移動局が在圏する第１セルおよび第２セルに対応する第１無線基地局および第２無線基地局の各々から送信される電波に関する第１受信特性値および第２受信特性値を前記各電波について測定する特性値測定部と、前記第１無線基地局および前記第２無線基地局の各々に対応する前記第１受信特性値および前記第２受信特性値を前記無線通信部を介して前記第１無線基地局に報告する特性値報告部とをさらに備え、前記第１無線基地局は、複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定する接続先判定部と、複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類する移動局分類部と、前記第１移動局群内の移動局のうち、前記第２無線基地局に接続すべきと前記接続先判定部に判定される第１受信特性値を有する移動局の数が減少するように、前記第１移動局群内の移動局の各々が測定した、前記第１無線基地局に対応する前記第１受信特性値と前記第２無線基地局に対応する前記第１受信特性値との差分値の分布に基づいて、複数の前記移動局の各々が測定した前記第２無線基地局の各々に対応する前記第１受信特性値を補正する補正値を設定する補正値設定部と、前記補正値設定部で設定された前記補正値を複数の前記移動局に通知する補正値通知部とを備え、複数の前記移動局の各々は、前記第１無線基地局の前記補正値通知部から通知された前記補正値を用いて、前記特性値測定部で測定された前記第２無線基地局から送信される電波に関する前記第１受信特性値を補正する特性値補正部をさらに備え、前記第１無線基地局または複数の前記移動局の各々は、前記第１無線基地局に対応する前記第１受信特性値と前記補正値により補正された前記第２無線基地局に対応する第１受信特性値とのうち、最も良好な第１受信特性値に対応する無線基地局を当該移動局が接続すべき無線基地局として選択する接続先選択部を備える。
【００１１】
以上の構成によれば、第２受信特性値により分類された第１移動局群内の移動局の各々が測定した、第１無線基地局に対応する第１受信特性値と第２無線基地局に対応する第１受信特性値との差分値の分布に基づいて設定された補正値により、移動局が接続すべき無線基地局の選択の際に用いられる第２無線基地局の第１受信特性値を補正するので、より良好な第２受信特性値を有する無線基地局が移動局の接続先として選択され易くなる。
【００１２】
好ましくは、前記第１無線基地局の前記補正値設定部は、前記第１移動局群内の移動局のうち、前記第２無線基地局に接続すべきと前記接続先判定部に判定される第１受信特性値を有する移動局の数が最少となるように、複数の前記移動局の各々が測定した前記第２無線基地局の各々に対応する前記第１受信特性値を補正する前記補正値を設定する。
以上の構成によれば、第１無線基地局の第２受信特性値がより高い第１移動局群内の移動局のうち、第２無線基地局に接続すべきと接続先判定部に判定される第１受信特性値を有する移動局の数がより減少し得る。
【００１３】
本発明に係る別の無線通信システムは、第１セルを形成する第１無線基地局と、前記第１セル内に前記第１セルよりも面積が小さい第２セルを各々が形成する複数の第２無線基地局と、前記第１セルおよび前記第２セルのうち移動局自身が在圏する在圏セルに対応する前記第１無線基地局および前記第２無線基地局の各々との間で電波を送受信して無線通信を実行可能な無線通信部を各々が備える複数の移動局とを備える無線通信システムであって、複数の前記移動局の各々は、当該移動局が在圏する第１セルおよび第２セルに対応する第１無線基地局および第２無線基地局の各々から送信される電波に関する第１受信特性値および第２受信特性値を前記各電波について測定する特性値測定部と、前記第１無線基地局および前記第２無線基地局の各々に対応する前記第１受信特性値および前記第２受信特性値を前記無線通信部を介して前記第１無線基地局に報告する特性値報告部とをさらに備え、前記第１無線基地局は、複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定する接続先判定部と、複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類する移動局分類部と、前記第２移動局群内の移動局のうち前記第１無線基地局に接続すべきと前記接続先判定部に判定される第１受信特性値を有する移動局と、前記第１移動局群内の移動局のうち前記第２無線基地局に接続すべきと前記接続先判定部に判定される第１受信特性値を有する移動局との合計数が減少するように、前記第２移動局群内の移動局の各々が測定した、前記第１無線基地局に対応する前記第１受信特性値と前記第２無線基地局に対応する前記第１受信特性値との差分値の分布と、前記第１移動局群内の移動局の各々が測定した、前記第１無線基地局に対応する前記第１受信特性値と前記第２無線基地局に対応する前記第１受信特性値との差分値の分布とに基づいて、複数の前記移動局の各々が測定した前記第２無線基地局の各々に対応する前記第１受信特性値を補正する補正値を設定する補正値設定部と、前記補正値設定部で設定された前記補正値を複数の前記移動局に通知する補正値通知部とを備え、複数の前記移動局の各々は、前記第１無線基地局の前記補正値通知部から通知された前記補正値を用いて、前記特性値測定部で測定された前記第２無線基地局から送信される電波に関する前記第１受信特性値を補正する特性値補正部をさらに備え、前記第１無線基地局または複数の前記移動局の各々は、前記第１無線基地局に対応する前記第１受信特性値と前記補正値により補正された前記第２無線基地局に対応する第１受信特性値とのうち、最も良好な第１受信特性値に対応する無線基地局を当該移動局が接続すべき無線基地局として選択する接続先選択部を備える。
【００１４】
以上の構成によれば、第２受信特性値により分類された第２移動局群内の移動局の各々が測定した、第１無線基地局に対応する第１受信特性値と第２無線基地局に対応する第１受信特性値との差分値の分布と、第２受信特性値により分類された第１移動局群内の移動局の各々が測定した、第１無線基地局に対応する第１受信特性値と第２無線基地局に対応する第１受信特性値との差分値の分布とに基づいて設定された補正値により、移動局が接続すべき無線基地局の選択の際に用いられる第２無線基地局の第１受信特性値を補正するので、より良好な第２受信特性値を有する無線基地局が移動局の接続先として選択され易くなる。
【００１５】
好ましくは、前記第１無線基地局の前記補正値設定部は、前記第２移動局群内の移動局のうち前記第１無線基地局に接続すべきと前記接続先判定部に判定される第１受信特性値を有する移動局と、前記第１移動局群内の移動局のうち前記第２無線基地局に接続すべきと前記接続先判定部に判定される第１受信特性値を有する移動局との合計数が最少となるように、複数の前記移動局の各々が測定した前記第２無線基地局の各々に対応する前記第１受信特性値を補正する前記補正値を設定する。
以上の構成によれば、第２無線基地局の第２受信特性値がより高い第２移動局群内の移動局のうち第１無線基地局に接続すべきと接続先判定部に判定される第１受信特性値を有する移動局の数と、第１無線基地局の第２受信特性値がより高い第１移動局群内の移動局のうち、第２無線基地局に接続すべきと接続先判定部に判定される第１受信特性値を有する移動局の数との総数がより減少し得る。
【００１６】
より好ましくは、  所定の第１インターバル毎に、複数の前記移動局の各々が、前記第１受信特性値および前記第２受信特性値の測定および報告を実行し、前記第１無線基地局が、複数の前記移動局の各々が接続すべき無線基地局の判定、複数の前記移動局の分類、前記補正値の設定、および複数の前記移動局への前記補正値の通知を実行し、前記第１インターバルよりも短い所定の第２インターバル毎に、複数の前記移動局の各々が、前記第１受信特性値の測定、および、前記補正値を用いた、前記第２無線基地局からの前記電波に関する前記第１受信特性値の補正を実行し、前記第１無線基地局または複数の前記移動局の各々が、当該移動局が接続すべき無線基地局の選択を実行する。
以上の構成によれば、移動局が第２受信特性値の測定を実行する頻度が抑制されつつ、第２受信特性値に基づき設定された補正値に基づいて、第２無線基地局からの電波に関する第１受信特性の補正が実行される。したがって、第２受信特性値に基づいた無線接続先の選択と移動局の消費電力の抑制とが併せて実現され得る。
【００１７】
本発明に係る無線基地局は、第１セルを形成する第１無線基地局と、前記第１セル内に前記第１セルよりも面積が小さい第２セルを各々が形成する複数の第２無線基地局と、前記第１セルおよび前記第２セルのうち移動局自身が在圏する在圏セルに対応する前記第１無線基地局および前記第２無線基地局の各々との間で電波を送受信して無線通信を実行可能な無線通信部と、当該移動局が在圏する第１セルおよび第２セルに対応する第１無線基地局および第２無線基地局の各々から送信される電波に関する第１受信特性値および第２受信特性値を前記各電波について測定する特性値測定部と、前記第１無線基地局および前記第２無線基地局の各々に対応する前記第１受信特性値および前記第２受信特性値を前記無線通信部を介して前記第１無線基地局に報告する特性値報告部と、を各々が備える複数の移動局とを備える無線通信システムにおける第１無線基地局であって、複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定する接続先判定部と、複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類する移動局分類部と、前記第２移動局群内の移動局のうち、前記第１無線基地局に接続すべきと前記接続先判定部に判定される第１受信特性値を有する移動局の数が減少するように、前記第２移動局群内の移動局の各々が測定した、前記第１無線基地局に対応する前記第１受信特性値と前記第２無線基地局に対応する前記第１受信特性値との差分値の分布に基づいて、複数の前記移動局の各々が測定した前記第２無線基地局の各々に対応する前記第１受信特性値を補正する補正値を設定する補正値設定部と、前記補正値設定部で設定された前記補正値を複数の前記移動局に通知する補正値通知部とを備える。
【００１８】
本発明に係る別の無線基地局は、第１セルを形成する第１無線基地局と、前記第１セル内に前記第１セルよりも面積が小さい第２セルを各々が形成する複数の第２無線基地局と、前記第１セルおよび前記第２セルのうち移動局自身が在圏する在圏セルに対応する前記第１無線基地局および前記第２無線基地局の各々との間で電波を送受信して無線通信を実行可能な無線通信部と、当該移動局が在圏する第１セルおよび第２セルに対応する第１無線基地局および第２無線基地局の各々から送信される電波に関する第１受信特性値および第２受信特性値を前記各電波について測定する特性値測定部と、前記第１無線基地局および前記第２無線基地局の各々に対応する前記第１受信特性値および前記第２受信特性値を前記無線通信部を介して前記第１無線基地局に報告する特性値報告部と、を各々が備える複数の移動局とを備える無線通信システムにおける第１無線基地局であって、複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定する接続先判定部と、複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類する移動局分類部と、前記第１移動局群内の移動局のうち、前記第２無線基地局に接続すべきと前記接続先判定部に判定される第１受信特性値を有する移動局の数が減少するように、前記第１移動局群内の移動局の各々が測定した、前記第１無線基地局に対応する前記第１受信特性値と前記第２無線基地局に対応する前記第１受信特性値との差分値の分布に基づいて、複数の前記移動局の各々が測定した前記第２無線基地局の各々に対応する前記第１受信特性値を補正する補正値を設定する補正値設定部と、前記補正値設定部で設定された前記補正値を複数の前記移動局に通知する補正値通知部とを備える。
【００１９】
本発明に係る別の無線基地局は、第１セルを形成する第１無線基地局と、前記第１セル内に前記第１セルよりも面積が小さい第２セルを各々が形成する複数の第２無線基地局と、前記第１セルおよび前記第２セルのうち移動局自身が在圏する在圏セルに対応する前記第１無線基地局および前記第２無線基地局の各々との間で電波を送受信して無線通信を実行可能な無線通信部と、当該移動局が在圏する第１セルおよび第２セルに対応する第１無線基地局および第２無線基地局の各々から送信される電波に関する第１受信特性値および第２受信特性値を前記各電波について測定する特性値測定部と、前記第１無線基地局および前記第２無線基地局の各々に対応する前記第１受信特性値および前記第２受信特性値を前記無線通信部を介して前記第１無線基地局に報告する特性値報告部と、を各々が備える複数の移動局とを備える無線通信システムにおける第１無線基地局であって、複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定する接続先判定部と、複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類する移動局分類部と、前記第２移動局群内の移動局のうち前記第１無線基地局に接続すべきと前記接続先判定部に判定される第１受信特性値を有する移動局と、前記第１移動局群内の移動局のうち前記第２無線基地局に接続すべきと前記接続先判定部に判定される第１受信特性値を有する移動局との合計数が減少するように、前記第２移動局群内の移動局の各々が測定した、前記第１無線基地局に対応する前記第１受信特性値と前記第２無線基地局に対応する前記第１受信特性値との差分値の分布と、前記第１移動局群内の移動局の各々が測定した、前記第１無線基地局に対応する前記第１受信特性値と前記第２無線基地局に対応する前記第１受信特性値との差分値の分布とに基づいて、複数の前記移動局の各々が測定した前記第２無線基地局の各々に対応する前記第１受信特性値を補正する補正値を設定する補正値設定部と、前記補正値設定部で設定された前記補正値を複数の前記移動局に通知する補正値通知部とを備える。
【００２０】
本発明に係る通信制御方法は、第１セルを形成する第１無線基地局と、前記第１セル内に前記第１セルよりも面積が小さい第２セルを各々が形成する複数の第２無線基地局と、前記第１セルおよび前記第２セルのうち移動局自身が在圏する在圏セルに対応する前記第１無線基地局および前記第２無線基地局の各々との間で電波を送受信して無線通信を実行可能な無線通信部を各々が備える複数の移動局とを備える無線通信システムにおける通信制御方法であって、複数の前記移動局の各々が、当該移動局が在圏する第１セルおよび第２セルに対応する第１無線基地局および第２無線基地局の各々から送信される電波に関する第１受信特性値および第２受信特性値を前記各電波について測定し、前記第１無線基地局および前記第２無線基地局の各々に対応する前記第１受信特性値および前記第２受信特性値を前記無線通信部を介して前記第１無線基地局に報告し、複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定し、複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類し、前記第２移動局群内の移動局のうち、前記第１無線基地局に接続すべきと判定される第１受信特性値を有する移動局の数が減少するように、前記第２移動局群内の移動局の各々が測定した、前記第１無線基地局に対応する前記第１受信特性値と前記第２無線基地局に対応する前記第１受信特性値との差分値の分布に基づいて、複数の前記移動局の各々が測定した前記第２無線基地局の各々に対応する前記第１受信特性値を補正する補正値を設定し、設定された前記補正値を複数の前記移動局に通知し、複数の前記移動局の各々が、前記第１無線基地局から通知された前記補正値を用いて、測定された前記第２無線基地局から送信される電波に関する前記第１受信特性値を補正し、前記第１無線基地局に対応する前記第１受信特性値と前記補正値により補正された前記第２無線基地局に対応する第１受信特性値とのうち、最も良好な第１受信特性値に対応する無線基地局を当該移動局が接続すべき無線基地局として選択する。
【００２１】
本発明に係る別の通信制御方法は、第１セルを形成する第１無線基地局と、前記第１セル内に前記第１セルよりも面積が小さい第２セルを各々が形成する複数の第２無線基地局と、前記第１セルおよび前記第２セルのうち移動局自身が在圏する在圏セルに対応する前記第１無線基地局および前記第２無線基地局の各々との間で電波を送受信して無線通信を実行可能な無線通信部を各々が備える複数の移動局とを備える無線通信システムにおける通信制御方法であって、複数の前記移動局の各々が、当該移動局が在圏する第１セルおよび第２セルに対応する第１無線基地局および第２無線基地局の各々から送信される電波に関する第１受信特性値および第２受信特性値を前記各電波について測定し、前記第１無線基地局および前記第２無線基地局の各々に対応する前記第１受信特性値および前記第２受信特性値を前記無線通信部を介して前記第１無線基地局に報告し、複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定し、複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類し、前記第１移動局群内の移動局のうち、前記第２無線基地局に接続すべきと判定される第１受信特性値を有する移動局の数が減少するように、前記第１移動局群内の移動局の各々が測定した、前記第１無線基地局に対応する前記第１受信特性値と前記第２無線基地局に対応する前記第１受信特性値との差分値の分布に基づいて、複数の前記移動局の各々が測定した前記第２無線基地局の各々に対応する前記第１受信特性値を補正する補正値を設定し、設定された前記補正値を複数の前記移動局に通知し、複数の前記移動局の各々が、前記第１無線基地局から通知された前記補正値を用いて、測定された前記第２無線基地局から送信される電波に関する前記第１受信特性値を補正し、前記第１無線基地局に対応する前記第１受信特性値と前記補正値により補正された前記第２無線基地局に対応する第１受信特性値とのうち、最も良好な第１受信特性値に対応する無線基地局を当該移動局が接続すべき無線基地局として選択する。
【００２２】
本発明に係る別の通信制御方法は、第１セルを形成する第１無線基地局と、前記第１セル内に前記第１セルよりも面積が小さい第２セルを各々が形成する複数の第２無線基地局と、前記第１セルおよび前記第２セルのうち移動局自身が在圏する在圏セルに対応する前記第１無線基地局および前記第２無線基地局の各々との間で電波を送受信して無線通信を実行可能な無線通信部を各々が備える複数の移動局とを備える無線通信システムにおける通信制御方法であって、複数の前記移動局の各々が、当該移動局が在圏する第１セルおよび第２セルに対応する第１無線基地局および第２無線基地局の各々から送信される電波に関する第１受信特性値および第２受信特性値を前記各電波について測定し、前記第１無線基地局および前記第２無線基地局の各々に対応する前記第１受信特性値および前記第２受信特性値を前記無線通信部を介して前記第１無線基地局に報告し、複数の前記移動局の各々について、当該移動局が報告した前記第１受信特性値および前記第２受信特性値の各々に対応する前記第１無線基地局および前記第２無線基地局のうち、前記第１受信特性値が最も良好である無線基地局を当該移動局が接続すべき無線基地局として判定し、複数の前記移動局のうち、前記第１無線基地局に対応する前記第２受信特性値が前記第２無線基地局に対応する前記第２受信特性値よりも良好である移動局を第１移動局群に分類し、前記第２無線基地局に対応する前記第２受信特性値が前記第１無線基地局に対応する前記第２受信特性値よりも良好である移動局を第２移動局群に分類し、前記第２移動局群内の移動局のうち前記第１無線基地局に接続すべきと判定される第１受信特性値を有する移動局と、前記第１移動局群内の移動局のうち前記第２無線基地局に接続すべきと判定される第１受信特性値を有する移動局との合計数が減少するように、前記第２移動局群内の移動局の各々が測定した、前記第１無線基地局に対応する前記第１受信特性値と前記第２無線基地局に対応する前記第１受信特性値との差分値の分布と、前記第１移動局群内の移動局の各々が測定した、前記第１無線基地局に対応する前記第１受信特性値と前記第２無線基地局に対応する前記第１受信特性値との差分値の分布とに基づいて、複数の前記移動局の各々が測定した前記第２無線基地局の各々に対応する前記第１受信特性値を補正する補正値を設定し、設定された前記補正値を複数の前記移動局に通知し、複数の前記移動局の各々が、前記第１無線基地局から通知された前記補正値を用いて、測定された前記第２無線基地局から送信される電波に関する前記第１受信特性値を補正し、前記第１無線基地局に対応する前記第１受信特性値と前記補正値により補正された前記第２無線基地局に対応する第１受信特性値とのうち、最も良好な第１受信特性値に対応する無線基地局を当該移動局が接続すべき無線基地局として選択する。
【図面の簡単な説明】
【００２３】
【図１】本発明の実施形態に係る無線通信システムを示すブロック図である。
【図２】本発明の実施形態に係るユーザ装置の構成を示すブロック図である。
【図３】本発明の実施形態に係るマクロ基地局の構成を示すブロック図である。
【図４】本発明の実施形態に係るピコ基地局の構成を示すブロック図である。
【図５】本発明の実施形態に係る接続先基地局の選択の説明図である。
【図６】複数のユーザ装置の各々における、マクロ基地局から送信される電波の受信電力とピコ基地局から送信される電波の受信電力との差分値の分布を示すグラフである。
【図７】第１実施形態の受信電力、信号対干渉雑音比、および接続先無線基地局の関係の一例を示す図である。
【図８】前記無線通信システムにおける受信電力の補正のシーケンス図である。
【図９】ユーザ装置と、受信電力の差分値と、接続先基地局とを対応付けるテーブルを示す図である。
【図１０】ユーザ装置と、各無線基地局からの信号対干渉雑音比と、より大きな信号対干渉雑音比とを対応付けるテーブルを示す図である。
【図１１】第１実施形態の補正値の設定の一例を示す図である。
【図１２】前記補正の有無に応じたピコセルの範囲の変化を示す図である。
【図１３】第２実施形態の受信電力、信号対干渉雑音比、および接続先無線基地局の関係の一例を示す図である。
【図１４】第２実施形態の補正値の設定の一例を示す図である。
【図１５】第３実施形態の補正値の設定の一例を示す図である。
【図１６】セル間干渉コーディネーションの説明図である。
【発明を実施するための形態】
【００２４】
第１の実施形態
図１は、本発明の第１実施形態に係る無線通信システム１のブロック図である。無線通信システム１は、マクロ基地局（マクロeNodeB（evolved Node B））１００と、ピコ基地局（ピコeNodeB）２００と、ユーザ装置（User Equipment）ＵＥとを備える。なお、説明の簡単のため１つのマクロ基地局１００のみが図示されているが、無線通信システム１が複数のマクロ基地局１００を含み得ることは当然に理解される。
【００２５】
無線通信システム１内の各通信要素（マクロ基地局１００、ピコ基地局２００、ユーザ装置ＵＥ等）は所定の無線アクセス技術（Radio Access Technology）、例えばＬＴＥ（Long Term Evolution）に従って無線通信を行う。本実施形態では、無線通信システム１がＬＴＥに従って動作する形態を例示して説明するが、本発明の技術的範囲を限定する趣旨ではない。本発明は、必要な設計上の変更を施した上で他の無線アクセス技術にも適用可能である。
【００２６】
マクロ基地局１００とピコ基地局２００とは有線または無線にて相互に接続される。マクロ基地局１００はマクロセルＣｍを形成する。マクロセルＣｍ内には、Ｎ個（Ｎは自然数）のユーザ装置ＵＥ（ＵＥ１，ＵＥ２，…，ＵＥＮ）が存在する。図１では、便宜的に４つのユーザ装置ＵＥが示されている。以下、マクロセルＣｍ内にある任意の１つのユーザ装置ＵＥを、添字ｎを用いて「ＵＥｎ」と示す場合がある。また、ユーザ装置ＵＥｎに対応する要素等を示すために、その要素等の符号に添字ｎを付す場合がある。
【００２７】
ピコ基地局２００はピコセルＣｐを形成する。ピコセルＣｐは、そのピコセルＣｐを形成するピコ基地局２００に接続されたマクロ基地局１００が形成するマクロセルＣｍ内に形成されるセルＣである。１つのマクロセルＣｍ内には、複数のピコセルＣｐが形成され得る。
【００２８】
各基地局（マクロ基地局１００，ピコ基地局２００）は、その基地局自身のセルＣに在圏するユーザ装置ＵＥと無線通信が可能である。逆に言うと、ユーザ装置ＵＥは、ユーザ装置ＵＥ自身が在圏するセルＣ（マクロセルＣｍ，ピコセルＣｐ）に対応する基地局（マクロ基地局１００，ピコ基地局２００）と無線通信が可能である。また、ユーザ装置ＵＥは、各基地局から送信される無線信号の受信電力（Reference Signal Received Power, RSRP）に基づいて、無線接続先の基地局を選択可能である。例えば、ユーザ装置ＵＥは、最も高い受信電力RSRPに対応する無線信号を送信する基地局を無線接続先の基地局として選択し得る。
【００２９】
マクロ基地局１００はピコ基地局２００と比較して無線送信能力（最大送信電力，平均送信電力等）が高いので、より遠くに位置するユーザ装置ＵＥと無線通信可能である。したがって、マクロセルＣｍはピコセルＣｐよりも面積が大きい。例えば、マクロセルＣｍは半径数百メートルから数十キロメートル程度の大きさであり、ピコセルＣｐは半径数メートルから数十メートル程度の大きさである。
【００３０】
以上の説明から理解されるように、無線通信システム１内のマクロ基地局１００およびピコ基地局２００は、送信電力（送信能力）が相異なる複数種の無線基地局が重層的に設置されたヘテロジーニアスネットワーク（Heterogeneous Network，HetNet）を構成する（3rd Generation Partnership Project; Technical Specification Group Radio Access Network; Evolved Universal Terrestrial Radio Access (E-UTRA); Further advancements for E-UTRA physical layer aspects (Release 9); 3GPP TR 36.814 V9.0.0 (2010-03); Section 9A, Heterogeneous Deploymentsを参照のこと）。
【００３１】
ピコセルＣｐがマクロセルＣｍの内部に重層的に形成される（オーバレイされる）ことを考慮すると、ユーザ装置ＵＥがピコセルＣｐ内に在圏する場合、そのユーザ装置ＵＥは、そのピコセルＣｐを形成するピコ基地局２００と、そのピコセルＣｐを包含するマクロセルＣｍを形成するマクロ基地局１００との双方から電波（無線信号）を受信することが可能であると理解できる。
【００３２】
なお、各基地局とユーザ装置ＵＥとの間の無線通信の方式は任意である。例えば、ダウンリンクではＯＦＤＭＡ（Orthogonal Frequency Division Multiple Access）が採用され、アップリンクではＳＣ−ＦＤＭＡ（Single-Carrier Frequency Division Multiple Access）が採用されてもよい。
【００３３】
図２は、本発明の第1実施形態に係るユーザ装置ＵＥの構成を示すブロック図である。ユーザ装置ＵＥは無線通信部３１０と制御部３３０と記憶部３５０を備える。なお、音声・映像等を出力する出力装置およびユーザからの指示を受け付ける入力装置等の図示は、便宜的に省略されている。
【００３４】
無線通信部３１０は、基地局（マクロ基地局１００，ピコ基地局２００）と無線通信を実行するための要素であり、送受信アンテナ３１２と、基地局から電波を受信して電気信号に変換する受信回路と、音声信号等の電気信号を電波に変換して送信する送信回路とを含む。また、無線通信部３１０は、ユーザ装置ＵＥｎが在圏するマクロセルＣｍを形成するマクロ基地局１００から、補正値Ａおよび接続先情報Ｉを受信するとともに、当該マクロ基地局１００に対して、マクロ基地局１００から受信した電波についての受信電力RSRPＭ及び信号対干渉雑音比SINRＭ並びにピコ基地局から受信した電波についての受信電力RSRPＰ及び信号対干渉雑音比SINRＰを送信する（詳細は後述される）。
記憶部３５０は、マクロ基地局１００から受信した補正値Ａおよびその他の情報を記憶する記憶媒体であり、例えばＲＡＭ（Random Access Memory）であってよい。
【００３５】
以下、簡単のため、マクロ基地局１００から受信した電波についての受信電力RSRPＭ及び信号対干渉雑音比SINRＭを、それぞれ「マクロ受信電力RSRPＭ」及び「マクロ信号対干渉雑音比SINRＭ」と称する場合があり、ピコ基地局から受信した電波についての受信電力RSRPＰ及び信号対干渉雑音比SINRＰを、それぞれ「ピコ受信電力RSRPＰ」および「ピコ信号対干渉雑音比SINRＰ」と称する場合がある。また、単に符号のみ（すなわち、RSRPＭ，SINRＭ，RSRPＰ，およびSINRＰ）を用いて、以上の各受信電力および各信号対干渉雑音比を示す場合がある。
【００３６】
制御部３３０は、特性値測定部３３２、解析用特性値報告部３３４、特性値補正部３３６、接続用特性値報告部３３８、および接続部３４０を要素として内包する。制御部３３０ならびに制御部３３０に内包される特性値測定部３３２、解析用特性値報告部３３４、特性値補正部３３６、接続用特性値報告部３３８、および接続部３４０は、ユーザ装置ＵＥ内の図示しないＣＰＵ（Central Processing Unit）が、記憶部３５０に記憶されたコンピュータプログラムを実行し、そのコンピュータプログラムに従って機能することにより実現される機能ブロックであり得る。制御部３３０の動作の詳細は後述される。
【００３７】
図３は、本発明の第１実施形態に係るマクロ基地局１００の構成を示すブロック図である。マクロ基地局１００は、無線通信部１１０と基地局通信部１２０と制御部１３０とを備える。
【００３８】
無線通信部１１０は、ユーザ装置ＵＥと無線接続して無線通信を実行するための要素であり、送受信アンテナ１１２と、ユーザ装置ＵＥから電波を受信して電気信号に変換する受信回路と、音声信号等の電気信号を電波に変換して送信する送信回路とを含む。また、無線通信部１１０は、マクロ基地局１００が形成するマクロセルＣｍに在圏するユーザ装置ＵＥに対して、補正値Ａおよび接続先情報Ｉを送信するとともに、マクロ基地局１００が形成するマクロセルＣｍに在圏するユーザ装置ＵＥから、マクロ基地局１００から受信した電波についての受信電力RSRPＭ及び信号対干渉雑音比SINRＭ並びにピコ基地局から受信した電波についての受信電力RSRPＰ及び信号対干渉雑音比SINRＰを受信する（詳細は後述される）。
【００３９】
基地局通信部１２０は、他の基地局（マクロ基地局１００，ピコ基地局２００）と通信を実行するための要素であり、他の基地局との間で電気信号を送受信する。マクロ基地局１００が他の基地局と無線にて通信を行う場合は、無線通信部１１０が基地局通信部１２０を兼ね得ることは当然に理解される。
【００４０】
制御部１３０は、解析用接続先判定部１３２、ユーザ装置分類部１３４、補正値設定部１３６、補正値通知部１３８、および接続先選択部１４０を要素として内包する。制御部１３０ならびに制御部１３０に内包される解析用接続先判定部１３２、ユーザ装置分類部１３４、補正値設定部１３６、補正値通知部１３８、および接続先選択部１４０は、マクロ基地局１００内の図示しないＣＰＵが、図示しない記憶部に記憶されたコンピュータプログラムを実行し、そのコンピュータプログラムに従って機能することにより実現される機能ブロックであり得る。制御部１３０の動作の詳細は後述される。
【００４１】
図４は、本発明の実施形態に係るピコ基地局２００の構成を示すブロック図である。ピコ基地局２００は、無線通信部２１０と基地局通信部２２０と制御部２３０とを備える。
無線通信部２１０は、ユーザ装置ＵＥと無線通信を実行するための要素であり、送受信アンテナ２１２と、ユーザ装置ＵＥから電波を受信して電気信号に変換する受信回路と、音声信号等の電気信号を電波に変換して送信する送信回路とを含む。
基地局通信部２２０は、ピコ基地局２００自身が接続されるマクロ基地局１００と通信を実行するための要素であり、マクロ基地局１００との間で電気信号を送受信する。なお、ピコ基地局２００がマクロ基地局１００と無線にて通信する場合には、無線通信部２１０が基地局通信部２２０を兼ねてもよい。
【００４２】
ピコ基地局２００は、マクロ基地局１００が送信した情報（例えば、補正値Ａまたは接続先情報Ｉ等）を受信してユーザ装置ＵＥに転送でき、ユーザ装置ＵＥが送信した情報（RSRPＭｎ，SINRＭｎ，RSRPＰｎ，およびSINRＰｎ等）を受信してマクロ基地局１００に転送できる。具体的には、ピコ基地局２００の基地局通信部２２０がマクロ基地局１００の基地局通信部１２０から受信した電気信号を、制御部２３０が無線通信部２１０に供給する。無線通信部２１０は、供給された電気信号を電波に変換してユーザ装置ＵＥに対して送信する。また、ピコ基地局２００の無線通信部２１０が受信・変換して得た電気信号を、制御部２３０が基地局通信部２２０に供給する。基地局通信部２２０は、供給された電気信号をマクロ基地局１００に対して送信する。以上の構成により、ユーザ装置ＵＥがピコ基地局２００に近接しているためマクロ基地局１００との無線通信が困難である場合でも、ユーザ装置ＵＥとマクロ基地局１００との間で必要な情報を送受信することが可能となる。
なお、ピコ基地局２００の制御部２３０は、ピコ基地局２００内の図示しないＣＰＵが、図示しない記憶部に記憶されたコンピュータプログラムを実行し、そのコンピュータプログラムに従って機能することにより実現される機能ブロックであり得る。
【００４３】
図５を参照して、受信電力RSRPに基づく無線接続先の選択の概略を説明する。図５に示すように、ユーザ装置ＵＥは、マクロ基地局１００およびピコ基地局２００から電波を受信する。ユーザ装置ＵＥの特性値測定部３３２は、受信された各電波について、マクロ受信電力RSRPＭおよびピコ受信電力RSRPＰを測定する。図示の通り、各電波の受信電力（RSRPＭ，RSRPＰ）は各基地局から遠ざかるほど低下する。
【００４４】
以下、説明のため、マクロ基地局１００が配置される位置を位置Ｌ０、ピコ基地局２００が配置される位置を位置Ｌ３とし、マクロ受信電力RSRPＭとピコ受信電力RSRPＰとが等しい位置を位置Ｌ２とする。ユーザ装置ＵＥは、位置Ｌ２よりもマクロ基地局１００に近い位置Ｌｕに位置すると想定する。
【００４５】
図５に示す通り、位置Ｌｕにおいては、マクロ受信電力RSRPＭの方がピコ受信電力RSRPＰよりも大きい。したがって、単に受信電力の大きい電波を送信した基地局にユーザ装置ＵＥが無線接続する技術によれば、位置Ｌｕに位置するユーザ装置ＵＥはマクロ基地局１００と無線接続すべきであると、マクロ基地局１００等のネットワーク側の装置またはユーザ装置ＵＥ自身によって判定される。
【００４６】
しかしながら、単に受信電力の大きい電波を送信した基地局にユーザ装置ＵＥが無線接続する技術には、以下のような問題がある。
【００４７】
図６は、複数のユーザ装置ＵＥの各々について算出されたマクロ受信電力RSRPＭとピコ受信電力RSRPＰとの差分値Δ（＝RSRPＭ−RSRPＰ）の分布を示すグラフである。横軸はRSRPＭとRSRPＰとの差分値Δをデシベル（ｄＢ）で示す。縦軸はユーザ装置ＵＥの個数を相対値で示す。
【００４８】
複数のユーザ装置ＵＥは、信号対干渉雑音比SINRに基づいて、集合ＳＭと集合ＳＰとに分類される。集合ＳＭは、マクロ信号対干渉雑音比SINRＭがピコ信号対干渉雑音比SINRＰを上回るユーザ装置ＵＥの集合である。集合ＳＰは、ピコ信号対干渉雑音比SINRＰがマクロ信号対干渉雑音比SINRＭを上回るユーザ装置ＵＥの集合である。
概略的には、図示されるように、集合ＳＭに属するユーザ装置ＵＥにおける受信電力RSRPの差分値Δの方が、集合ＳＰに属するユーザ装置ＵＥにおける受信電力RSRPの差分値Δを上回る傾向にある。換言すると、概略的には、ユーザ装置ＵＥにおける受信電力RSRPおよび信号対干渉雑音比SINRには相関関係が認められる。しかしながら、個々のユーザ装置ＵＥについて見た場合には、必ずしも、受信電力RSRPが高いほど信号対干渉雑音比SINRも高いわけではない。以下、図７を参照して具体的に説明する。
【００４９】
図７は、ユーザ装置ＵＥにおける信号対干渉雑音比SINRと、そのユーザ装置ＵＥの接続先基地局との関係の説明図である。受信電力RSRPの差分値Δが正（Δ＞０）のユーザ装置ＵＥの集合を集合ＲＭとし、差分値Δが負（Δ＜０）のユーザ装置ＵＥの集合を集合ＲＰとする。
差分値Δが正（Δ＞０）であればマクロ受信電力RSRPＭｎがピコ受信電力RSRPＰｎを上回るから、単純な受信電力RSRP基準によれば、集合ＲＭに含まれるユーザ装置ＵＥｎはマクロ基地局１００に接続すべきと判定される。他方、差分値Δが負（Δ＜０）であればピコ受信電力RSRPＰｎがマクロ受信電力RSRPＭｎを上回るから、単純な受信電力RSRP基準によれば、集合ＲＰに含まれるユーザ装置ＵＥｎはピコ基地局２００に接続すべきと判定される。
【００５０】
図７に示されるように、集合ＳＭ内のユーザ装置ＵＥは全てが集合ＲＭに含まれる。すなわち、受信電力RSRPに基づく接続先選択の結果、集合ＳＭ内の全てのユーザ装置ＵＥが、信号対干渉雑音比SINRがより高いマクロ基地局１００に接続すべきと判定される。
他方、集合ＳＰ内のユーザ装置ＵＥは、集合ＲＰに含まれる部分集合ＦＰと集合ＲＭに含まれる部分集合ＤＭとに分かれてしまう。すなわち、受信電力RSRPに基づく接続先選択の結果、集合ＳＰ内の一部のユーザ装置ＵＥ（部分集合ＦＰ内のユーザ装置ＵＥ）は信号対干渉雑音比SINRがより高いピコ基地局２００に接続すべきと判定されるが、集合ＳＰ内の他の一部のユーザ装置ＵＥ（部分集合ＤＭ内のユーザ装置ＵＥ）は信号対干渉雑音比SINRがより低いマクロ基地局１００に接続すべきと判定されてしまう。
【００５１】
電波の信号対干渉雑音比SINRが低い場合、たとえ受信電力RSRPが高くてもユーザ装置ＵＥにおける受信品質は低下するから、電波の信号対干渉雑音比SINRがより低い基地局に接続されるユーザ装置ＵＥの個数が多いことは、ユーザ装置ＵＥのユーザの利便性および無線通信システム１全体の通信品質の観点等から考えて適当でない場合がある。
他方、電波の信号対干渉雑音比SINRの測定（特に、SINR測定に必要な干渉電力の測定）は、ユーザ装置ＵＥへの処理負荷が高いため、ユーザ装置ＵＥが常に電波の信号対干渉雑音比SINRを測定して無線接続先を選択することは、ユーザ装置の消費電力の低減および処理速度の向上等の面から問題がある場合がある。
【００５２】
以上の事情に鑑み、本実施形態では、ユーザ装置ＵＥの無線接続先として信号対干渉雑音比SINRのより高い基地局が選択されるように、ユーザ装置ＵＥの無線接続先の選択の際に利用される受信電力RSRPを、信号対干渉雑音比SINRを考慮した補正値Ａにより補正する。
【００５３】
図８を参照して、第１実施形態の補正値Ａの設定およびユーザ装置ＵＥの接続先基地局の選択について説明する。
各ユーザ装置ＵＥｎの特性値測定部３３２が、そのユーザ装置ＵＥｎが在圏するマクロセルＣｍを形成するマクロ基地局１００から受信した電波の受信電力RSRPＭｎおよび信号対干渉雑音比SINRＭｎ、並びにそのユーザ装置ＵＥｎが在圏するピコセルＣｐを形成するピコ基地局２００から受信した電波の受信電力RSRPＰｎおよび信号対干渉雑音比SINRＰｎを測定する（ステップS100）。測定されたマクロ受信電力RSRPＭｎ、マクロ信号対干渉雑音比SINRＭｎ、ピコ受信電力RSRPＰｎ、およびピコ信号対干渉雑音比SINRＰｎは、解析用特性値報告部３３４に供給される。解析用特性値報告部３３４は、供給されたマクロ受信電力RSRPＭｎ、マクロ信号対干渉雑音比SINRＭｎ、ピコ受信電力RSRPＰｎ、およびピコ信号対干渉雑音比SINRＰｎを無線通信部３１０を介してマクロ基地局１００に報告（送信）する（ステップS110）。
【００５４】
マクロ基地局１００の無線通信部１１０が、報告されたマクロ受信電力RSRPＭｎ、マクロ信号対干渉雑音比SINRＭｎ、ピコ受信電力RSRPＰｎ、およびピコ信号対干渉雑音比SINRＰｎを各ユーザ装置ＵＥｎから受信して制御部１３０に供給する。マクロセルＣｍ内にはＮ個のユーザ装置ＵＥが存在するから、それぞれＮ個のマクロ受信電力RSRPＭ、マクロ信号対干渉雑音比SINRＭ、ピコ受信電力RSRPＰ、およびピコ信号対干渉雑音比SINRＰが制御部１３０に供給されることが理解される。
【００５５】
制御部１３０の解析用接続先判定部１３２が、無線通信部１１０から供給されたマクロ受信電力RSRPＭｎおよびピコ受信電力RSRPＰｎのうち、最も高い受信電力RSRPに対応する無線基地局（すなわち、受信電力RSRPが最も良好である無線基地局）を各ユーザ装置ＵＥｎの接続先基地局として判定する（ステップS120）。具体的には、解析用接続先判定部１３２は、Ｎ個のユーザ装置ＵＥの各々について、ユーザ装置ＵＥｎと、ユーザ装置ＵＥｎにおけるマクロ受信電力RSRPＭｎとピコ受信電力RSRPＰｎとの差分値Δｎ（＝ RSRPＭｎ−RSRPＰｎ）と、差分値Δｎから判定されたユーザ装置ＵＥｎが接続すべき無線基地局とを対応付けたテーブルＴＲ（図９）を作成する。マクロ基地局１００に接続すべきユーザ装置ＵＥの集合ＲＭおよびピコ基地局２００に接続すべきユーザ装置ＵＥの集合ＲＰが、テーブルＴＲの参照により提供されることは、当然に理解される。
なお、ステップS120にて判定された接続先基地局は、ステップS140における補正値Ａの設定のために使用される仮想的な接続先基地局であり、後のステップS230にて選択される実際の接続先基地局とは必ずしも一致しない。
【００５６】
制御部１３０のユーザ装置分類部１３４が、無線通信部１１０から供給されたマクロ信号対干渉雑音比SINRＭおよびピコ信号対干渉雑音比SINRＰに基づいて、複数のユーザ装置ＵＥのうち、マクロ信号対干渉雑音比SINRＭｎがピコ信号対干渉雑音比SINRＰｎよりも大きい（すなわち、良好である）ユーザ装置ＵＥｎを集合ＳＭに分類し、ピコ信号対干渉雑音比SINRＰｎがマクロ信号対干渉雑音比SINRＭｎよりも大きいユーザ装置ＵＥｎを集合ＳＰに分類する（ステップS130）。具体的には、ユーザ装置分類部１３４は、Ｎ個のユーザ装置ＵＥの各々について、ユーザ装置ＵＥｎと、マクロ信号対干渉雑音比SINRＭｎと、ピコ信号対干渉雑音比SINRＰｎと、より大きな信号対干渉雑音比SINRとを対応付けたテーブルＴＳ（図１０）を作成する。前述の集合ＳＭおよび集合ＳＰがテーブルＴＳの参照により提供されることは、当然に理解される。
なお、ステップS120とステップS130は、順次に実行されてもよく、並列的に実行されてもよい。
【００５７】
次いで、制御部１３０の補正値設定部１３６が、解析用接続先判定部１３２から供給されたテーブルＴＲとユーザ装置分類部１３４から供給されたテーブルＴＳとに基づいて、マクロ基地局１００に接続すべきユーザ装置ＵＥの集合ＲＭとピコ信号対干渉雑音比SINRＰの方が高いユーザ装置ＵＥの集合ＳＰとの積集合ＤＭ（ＤＭ＝ＲＭ∩ＳＰ）に含まれるユーザ装置ＵＥの個数が減少するように、補正値Ａを設定する（ステップS140）。なお、集合ＤＭに含まれるユーザ装置ＵＥの個数が最少となるように補正値Ａを設定してもよい。
【００５８】
補正値Ａは、集合ＳＰにおけるマクロ受信電力RSRPＭとピコ受信電力RSRPＰとの差分値Δの分布に基づいて設定される。例えば、図１１に示されるように、集合ＤＭの占める面積がより小さくなるように補正値Ａが設定される。補正値Ａの設定は任意の手順により実行され得るが、例えば、複数設定された仮の補正値の各々について補正後の集合ＤＭに含まれるユーザ装置ＵＥの個数を算出し、補正前の集合ＤＭに含まれるユーザ装置ＵＥの個数よりも補正後の集合ＤＭに含まれるユーザ装置ＵＥの個数が減少する仮の補正値を正式な補正値Ａとして採用してもよい。正式な補正値Ａの候補となる複数の仮の補正値が存在する場合には、集合ＤＭに含まれるユーザ装置ＵＥの個数が最少となる補正値Ａを採用すると好適である。その他、実験から得られたアルゴリズムを用いて補正値Ａの設定が実行されてもよい。
補正値通知部１３８は、補正値設定部１３６により設定された補正値Ａを無線通信部１１０を介して複数のユーザ装置ＵＥの各々に通知（送信）する（ステップS150）。マクロ基地局１００から通知された補正値Ａは、ユーザ装置ＵＥの無線通信部３１０に受信されて記憶部３５０に供給され記憶される。
【００５９】
各ユーザ装置ＵＥｎの特性値測定部３３２は、在圏セルＣ（Ｃｍ，Ｃｐ）に対応するマクロ受信電力RSRPＭｎおよびピコ受信電力RSRPＰｎを測定する（ステップS200）。
測定されたピコ受信電力RSRPＰｎは特性値補正部３３６に供給される。特性値補正部３３６は、マクロ基地局１００から通知され記憶部３５０に記憶された補正値Ａを読み出して用いて、供給されたピコ受信電力RSRPＰｎを補正し、補正後のピコ受信電力RSRPＰｎ’（RSRPＰｎ’＝RSRPＰｎ＋Ａ）を得る（ステップS210）。補正後のピコ受信電力RSRPＰｎ’は接続用特性値報告部３３８に供給される。他方、測定されたマクロ受信電力RSRPＭｎは直接的に接続用特性値報告部３３８に供給される。
すなわち、ユーザ装置ＵＥｎにおけるピコ受信電力RSRPＰｎのみが補正値Ａによりオフセットされて補正後のピコ受信電力RSRPＰｎ’となる。
【００６０】
接続用特性値報告部３３８は、供給されたマクロ受信電力RSRPＭｎおよび補正後のピコ受信電力RSRPＰｎ’を無線通信部３１０を介してマクロ基地局１００に報告（送信）する（ステップS220）。報告されたマクロ受信電力RSRPＭｎおよび補正後のピコ受信電力RSRPＰｎ’は制御部１３０の接続先選択部１４０に供給される。
【００６１】
マクロ基地局１００の接続先選択部１４０は、各ユーザ装置ＵＥｎについて、供給されたマクロ受信電力RSRPＭｎおよび補正後のピコ受信電力RSRPＰｎ’のうち、最も大きい（すなわち、最も良好な）受信電力RSRPに対応する無線基地局を、そのユーザ装置ＵＥｎが接続すべき無線基地局として選択する（ステップS230）。そして、接続先選択部１４０は、各ユーザ装置ＵＥｎについて選択された接続先の無線基地局を示す接続先情報Ｉｎを、無線通信部３１０を介してそのユーザ装置ＵＥｎに通知する（ステップS240）。
【００６２】
マクロ基地局１００から通知された接続先情報Ｉｎは、ユーザ装置ＵＥｎの無線通信部３１０に受信されて制御部３３０の接続部３４０に供給される。接続部３４０は、供給された接続先情報Ｉｎに基づいて無線接続を実行する（ステップS250）。すなわち、接続先情報Ｉｎが示す無線基地局にユーザ装置ＵＥｎが既に無線接続している場合には、そのユーザ装置ＵＥｎはその無線接続を維持する。一方、接続先情報Ｉｎが示す無線基地局にユーザ装置ＵＥｎが無線接続していない場合には、そのユーザ装置ＵＥｎはその示された無線基地局へのハンドオーバを実行する。
【００６３】
以上のようにして、ユーザ装置ＵＥに補正値Ａが設定され（ステップS100〜S150）、ユーザ装置ＵＥが接続すべき無線基地局が選択される（ステップS200〜S250）。なお、以上では、説明の簡単のため、補正値Ａの設定と無線接続先の選択とが一連に説明されたが、補正値Ａの設定および無線接続先の選択は相異なる頻度にて実行され得る。
例えば、所定の第1インターバル毎（例えば１秒毎）に補正値Ａの設定（ステップS100〜S150）が実行され、第1インターバルよりも短い所定の第２インターバル毎（例えば１ミリ秒毎）に無線接続先の選択（ステップS200〜S250）が実行され得る。以上の構成によれば、ユーザ装置ＵＥの制御部３３０に対する負荷が高い信号対干渉雑音比SINRの測定頻度が抑制されつつ、補正値Ａの設定に信号対干渉雑音比SINRが考慮されることとなる。
【００６４】
以上に説明した補正値Ａの設定および補正値Ａに基づく無線接続先の選択の結果、マクロ基地局１００に接続されていた複数のユーザ装置ＵＥの一部が、ピコ基地局２００にハンドオーバされる（ピコセルＣｐにオフロードされる）。具体的には、図５に示すように、ピコ受信電力RSRPＰが補正される前には、位置Ｌ３（ピコ基地局２００が配置される位置）と位置Ｌ２（ピコ受信電力RSRPＰとマクロ受信電力RSRPＭとが一致する位置）との間に存在するユーザ装置ＵＥのみがピコ基地局２００に無線接続されていたが、ピコ受信電力RSRPＰが補正された後には、位置Ｌ３と位置Ｌ１（補正後のピコ受信電力RSRPＰ’とマクロ受信電力RSRPＭとが一致する位置）との間に存在するユーザ装置ＵＥがピコ基地局２００に無線接続される。すなわち、補正値Ａによる補正により、位置Ｌ１と位置Ｌ２との間に位置するユーザ装置ＵＥが、マクロ基地局１００からピコ基地局２００へとハンドオーバされる。
【００６５】
以上の説明から理解されるように、ユーザ装置ＵＥの特性値補正部３３６によるピコ受信電力RSRPＰの補正（補正値Ａによる増加）は、各ユーザ装置ＵＥにおけるピコ受信電力RSRPＰを擬似的に上昇させることで、ピコ基地局２００が形成するピコセルＣｐの範囲を拡張させるように作用する。
【００６６】
図１２は、補正値Ａによる補正の有無に応じたピコセルＣｐの範囲の変化を示した図であり、図５に対応している。補正無しの場合（図１２（Ａ））、位置Ｌ３に配置された不図示のピコ基地局２００が形成するピコセルＣｐは、マクロ受信電力RSRPＭをピコ受信電力RSRPＰが上回る範囲（位置Ｌ２を境界上の点として含む範囲）を有するから、ユーザ装置ＵＥの位置する位置Ｌｕ（位置Ｌ２よりもマクロ基地局１００寄り）はピコセルＣｐの範囲外である。一方、補正ありの場合（図１２（Ｂ））、ピコセルＣｐは、マクロ受信電力RSRPＭを補正後のピコ受信電力RSRPＰ’が上回る範囲（位置Ｌ１を境界上の点として含む範囲）を有するから、ユーザ装置ＵＥの位置する位置Ｌｕ（位置Ｌ１よりもピコ基地局２００寄り）はピコセルＣｐの範囲内となる。以上に示したように、補正値Ａを用いた補正により、ピコセルＣｐの範囲が拡大する。
【００６７】
また、補正値Ａによる補正によりマクロ基地局１００からピコ基地局２００へとハンドオーバされるのは、図１１の太枠で示された範囲内のユーザ装置ＵＥである。図７と図１１との対比から理解されるように、補正の前後において、集合ＤＭ（ＤＭ＝ＲＭ∩ＳＰ）に含まれるユーザ装置ＵＥの個数が減少し、集合ＦＰ（ＦＰ＝ＲＰ∩ＳＰ）に含まれるユーザ装置ＵＥの個数が増加したことが理解される。
【００６８】
以上に説明した実施の形態によれば、信号対干渉雑音比SINRを考慮して設定された補正値Ａにより、ユーザ装置ＵＥの無線接続先の選択の際に利用されるピコ受信電力RSRPＰが補正されるので、より信号対干渉雑音比SINRの高い（すなわち、より受信品質の良好な）無線基地局がユーザ装置ＵＥの接続先基地局として選択され易くなる。
【００６９】
第２の実施形態
本発明の第２実施形態を以下に説明する。以下に例示する各態様において、作用や機能が第１実施形態と同等である要素については、以上の説明で参照した符号を流用して各々の説明を適宜に省略する。
【００７０】
図１３は、第２実施形態のユーザ装置ＵＥにおける信号対干渉雑音比SINRと、そのユーザ装置ＵＥの接続先基地局との関係の説明図である。第１実施形態と同様に、マクロ受信電力RSRPＭとピコ受信電力RSRPＰとの差分値Δが正（Δ＞０）のユーザ装置ＵＥの集合を集合ＲＭとし、差分値Δが負（Δ＜０）のユーザ装置ＵＥの集合を集合ＲＰとする。
【００７１】
第１実施形態の図７の差分値Δの分布とは異なり、図１３では、集合ＳＰ内のユーザ装置ＵＥは全てが集合ＲＰに含まれる。すなわち、受信電力RSRPに基づく接続先選択の結果、集合ＳＰ内の全てのユーザ装置ＵＥが、信号対干渉雑音比SINRがより高いピコ基地局２００に接続すべきと判定される。
他方、集合ＳＭ内のユーザ装置ＵＥは、集合ＲＭに含まれる部分集合ＦＭと集合ＲＰに含まれる部分集合ＤＰとに分かれてしまう。すなわち、受信電力RSRPに基づく接続先選択の結果、集合ＳＭ内の一部のユーザ装置ＵＥ（部分集合ＦＭ内のユーザ装置ＵＥ）は信号対干渉雑音比SINRがより高いマクロ基地局１００に接続すべきと判定されるが、集合ＳＭ内の他の一部のユーザ装置ＵＥ（部分集合ＤＰ内のユーザ装置ＵＥ）は信号対干渉雑音比SINRがより低いピコ基地局２００に接続すべきと判定されてしまう。
第１実施形態と同様、電波の信号対干渉雑音比SINRがより低い基地局に接続されるユーザ装置ＵＥの個数が多いことは、ユーザ装置ＵＥのユーザの利便性および無線通信システム１全体の通信品質の観点等から考えて適当でない。
【００７２】
したがって、第２実施形態では、制御部１３０の補正値設定部１３６が、解析用接続先判定部１３２から供給されたテーブルＴＲとユーザ装置分類部１３４から供給されたテーブルＴＳとに基づいて、ピコ基地局２００に接続すべきユーザ装置ＵＥの集合ＲＰとマクロ信号対干渉雑音比SINRＭの方が高いユーザ装置ＵＥの集合ＳＭとの積集合ＤＰ（ＤＰ＝ＲＰ∩ＳＭ）に含まれるユーザ装置ＵＥの個数が減少するように、補正値Ａを設定する（ステップS140）。なお、集合ＤＰに含まれるユーザ装置ＵＥの個数が最少となるように補正値Ａを設定してもよい。
【００７３】
補正値Ａは、集合ＳＭにおけるマクロ受信電力RSRPＭとピコ受信電力RSRPＰとの差分値Δの分布に基づいて設定される。例えば、図１４に示されるように、集合ＤＰの占める面積がより小さくなるように補正値Ａが設定される。図１４の例では、補正値Ａは負の値（−５ｄＢ）に設定される。補正値Ａの設定は任意の手順により実行され得るが、第１実施形態と同様に、複数設定された仮の補正値の各々について補正後の集合ＤＰに含まれるユーザ装置ＵＥの個数を算出し、補正の前後で集合ＤＰに含まれるユーザ装置ＵＥの個数が減少する仮の補正値を正式な補正値Ａとして採用してもよい。正式な補正値Ａの候補となる複数の仮の補正値が存在する場合には、集合ＤＰに含まれるユーザ装置ＵＥの個数が最少となる補正値Ａを採用すると好適である。その他、実験から得られたアルゴリズムを用いて補正値Ａの設定が実行されてもよい。
【００７４】
以上の補正値Ａの設定および補正値Ａに基づく無線接続先の選択の結果、ピコ基地局２００に接続されていた複数のユーザ装置ＵＥの一部が、マクロ基地局１００にハンドオーバされる。
以上に説明した実施の形態によれば第１実施形態と同様の作用および効果が奏される。
【００７５】
第３の実施形態
第１実施形態では集合ＤＭに含まれるユーザ装置ＵＥの個数を減少させるように補正値Ａを設定し、第２実施形態では集合ＤＰに含まれるユーザ装置ＵＥの個数を減少させるように補正値Ａを設定した。しかしながら、集合ＤＭおよび集合ＤＰのいずれの集合に含まれるユーザ装置ＵＥも、信号対干渉雑音比SINRがより低い無線基地局に接続されてしまうことには変わりない。そこで、第３実施形態では、信号対干渉雑音比SINRがより低い無線基地局に接続されるユーザ装置ＵＥの総数を減少させるように補正値Ａを設定する。
【００７６】
具体的には、第３実施形態におけるマクロ基地局１００の補正値設定部１３６は、解析用接続先判定部１３２から供給されたテーブルＴＲとユーザ装置分類部１３４から供給されたテーブルＴＳとに基づいて、マクロ基地局１００に接続すべきユーザ装置ＵＥの集合ＲＭとピコ信号対干渉雑音比SINRＰの方が高いユーザ装置ＵＥの集合ＳＰとの積集合ＤＭ（ＤＭ＝ＲＭ∩ＳＰ）に含まれるユーザ装置ＵＥの個数と、ピコ基地局２００に接続すべきユーザ装置ＵＥの集合ＲＰとマクロ信号対干渉雑音比SINRＭの方が高いユーザ装置ＵＥの集合ＳＭとの積集合ＤＰ（ＤＰ＝ＲＰ∩ＳＭ）に含まれるユーザ装置ＵＥの個数との合計数（すなわち、集合ＤＭと集合ＤＰとの和集合ＤＳ（ＤＳ＝ＤＭ∪ＤＰ）に含まれるユーザ装置の個数）が減少するように、補正値Ａを設定する（ステップS140）。なお、集合ＤＳに含まれるユーザ装置ＵＥの個数が最少となるように補正値Ａを設定してもよい。
【００７７】
補正値Ａは、集合ＳＰにおけるマクロ受信電力RSRPＭとピコ受信電力RSRPＰとの差分値Δの分布と、集合ＳＭにおけるマクロ受信電力RSRPＭとピコ受信電力RSRPＰとの差分値Δの分布とに基づいて設定される。例えば、図１５に示されるように、集合ＤＭの占める面積と集合ＤＰの占める面積との和がより小さくなるように補正値Ａが設定される。補正値Ａの設定は任意の手順により実行され得るが、第１実施形態および第２実施形態と同様に、複数設定された仮の補正値の各々について補正後の集合ＤＳに含まれるユーザ装置ＵＥの個数を算出し、補正の前後で集合ＤＳに含まれるユーザ装置ＵＥの個数が減少する仮の補正値を正式な補正値Ａとして採用してもよい。正式な補正値Ａの候補となる複数の仮の補正値が存在する場合には、集合ＤＳに含まれるユーザ装置ＵＥの個数が最少となる補正値Ａを採用すると好適である。その他、実験から得られたアルゴリズムを用いて補正値Ａの設定が実行されてもよい。
【００７８】
以上に説明した実施の形態によれば、第１実施形態及び第２実施形態と同様の作用及び効果が奏される。また、補正値Ａが増大するにつれて、集合ＤＭのユーザ装置ＵＥの個数が減少するとともに集合ＤＰのユーザ装置ＵＥの個数が増大することを考慮すると、集合ＤＭのユーザ装置ＵＥの個数のみ又は集合ＤＰのユーザ装置ＵＥの個数のみに基づいて補正値Ａを設定する構成と比較して、集合ＤＭのユーザ装置ＵＥの個数と集合ＤＰのユーザ装置ＵＥの個数とのトレードオフに基づいたより適切な補正値Ａの設定が可能となる。したがって、信号対干渉雑音比SINRがより高い無線基地局に接続されるユーザ装置ＵＥの数をより増大させることが可能である。
【００７９】
変形例
以上の実施の形態は多様に変形される。具体的な変形の態様を以下に例示する。以下の例示から任意に選択された２以上の態様は相互に矛盾しない限り適宜に併合され得る。
【００８０】
（１）変形例１
任意の干渉制御技術を、以上の実施の形態と組み合わせることが可能である。例えば、図１６に示すセル間干渉コーディネーション（enhanced Inter-Cell Interference Coordination，ｅＩＣＩＣ）を以上の各実施形態と組み合わせることが可能である。ｅＩＣＩＣとは、ヘテロジーニアスネットワークにおけるセル干渉制御技術の一種であり、相異なる送信電力（送信能力）を有する基地局間において、相異なる無線資源（時間、周波数等）を用いることにより、各基地局が送信する電波同士の干渉を抑制する技術である。例えば、図１６の例示では、送信電力が相対的に大きいマクロ基地局１００が周期的に電波の送信を停止することで、ピコ基地局２００から送信される電波に対する干渉を抑制する。
【００８１】
以上のｅＩＣＩＣと本発明の各実施形態とを組み合わせ得る。すなわち、マクロ基地局１００から送信された電波の受信電力RSRPＭと、マクロ基地局１００が電波の送信を停止している際にピコ基地局２００から送信された電波の受信電力RSRPＰとの比較に基づいてユーザ装置ＵＥの接続先基地局を選択するｅＩＣＩＣにおいて、マクロ基地局１００から送信された電波の信号対干渉雑音比SINRＭおよびマクロ基地局１００が電波の送信を停止している際にピコ基地局２００から送信された電波の信号対干渉雑音比SINRＰを用いて、以上の実施形態と同様に補正値Ａを設定し得る。
【００８２】
以上の組み合わせによれば、各基地局から送信される電波同士の干渉がｅＩＣＩＣにより抑制されつつ、本発明の各実施形態による適切な補正値の設定（すなわち、ユーザ装置ＵＥの無線接続先の適切な選択）が実現される。したがって、無線資源のより公平かつより効率的な利用が実現される。また、ｅＩＣＩＣを適用すると、受信電力RSRPと信号対干渉雑音比SINRとが相関しない可能性（図６）が増大する。以上の組合せによれば、そのような場合であっても、信号対干渉雑音比SINRに基づいて補正値Ａが適切に設定される。
【００８３】
（２）変形例２
以上の実施の形態では、ユーザ装置ＵＥが接続すべき無線基地局を選択する際の直接的な基準となる電波の受信特性は受信電力（RSRP）であったが、受信品質（Reference Signal Received Quality, RSRQ）等が基準となる電波の受信特性として採用されても良い。すなわち、接続先基地局を選択する際の直接的な基準となる電波の受信特性（すなわち、マクロ基地局１００の解析用接続先判定部１３２および接続先選択部１４０にて使用される受信特性）は、ユーザ装置ＵＥにおいて、干渉電力の測定等の高負荷処理を伴わずに、基地局毎に測定または算出が可能な電波の受信特性であればよい。
また、以上の実施の形態では、信号対干渉雑音比（SINR）を考慮して補正値Ａを設定することで、希望波以外の成分が希望波に与える影響を加味した補正値の設定（ひいては、無線接続先）の選択を実現したが、例えば、信号対干渉比（SIR）または信号対雑音比（SNR）が補正値Ａの設定の際に考慮されてもよい。すなわち、例えば、信号対干渉比（SIR）または信号対雑音比（SNR）に基づいてユーザ装置ＵＥが分類されてもよい。
【００８４】
（３）変形例３
以上の実施の形態では、値が大きいほど受信状態が良好であることを示す特性値である受信電力RSRPが採用されたが、値が小さいほど受信状態が良好であることを示す特性値が採用されてもよい。例えば、受信電力を示す値の逆数を特性値としてもよい。以上の場合では、より小さい特性値に対応する無線基地局がユーザ装置ＵＥの無線接続先として解析用接続先判定部１３２および接続先選択部１４０に判定または選択される。
【００８５】
（４）変形例４
以上の実施の形態では、マクロ基地局１００よりも送信能力の低い基地局としてピコ基地局２００が例示されたが、マイクロ基地局、ナノ基地局、フェムト基地局、リモートラジオヘッド等が送信能力の低い基地局として採用されてもよい。
特に、無線通信システム１の要素として、相異なる送信能力を有する複数の基地局の組合せ（例えば、マクロ基地局、ピコ基地局、およびフェムト基地局の組合せ）が採用されてもよい。その場合、各基地局の送信能力に応じて補正値Ａが個別に定められてもよい（例えば、ピコ基地局用に定められた補正値Ａ１が、フェムト基地局用に定められた補正値Ａ２と相違する）とより好適である。
【００８６】
（５）変形例５
以上の実施の形態では、ユーザ装置ＵＥｎの接続用特性値報告部３３８から報告された受信電力RSRP（RSRPＭｎ，RSRPＰｎ’）に基づいて、マクロ基地局１００の接続先選択部１４０がそのユーザ装置ＵＥｎの接続先となる無線基地局を選択したが、ユーザ装置ＵＥの制御部３３０内に設けられた接続先選択部が、ユーザ装置ＵＥ自身が取得した受信電力RSRP（RSRPＭｎ，RSRPＰｎ’）に基づいて接続先となる無線基地局を選択してもよい。
【００８７】
（６）変形例６
ユーザ装置ＵＥは、各基地局（マクロ基地局１００，ピコ基地局２００）と無線通信が可能な任意の装置である。ユーザ装置ＵＥは、例えばフィーチャーフォンまたはスマートフォン等の携帯電話端末でもよく、デスクトップ型パーソナルコンピュータでもよく、ノート型パーソナルコンピュータでもよく、ＵＭＰＣ（Ultra-Mobile Personal Computer）でもよく、携帯用ゲーム機でもよく、その他の無線端末でもよい。
【００８８】
（７）変形例７
無線通信システム１内の各要素（マクロ基地局１００、ピコ基地局２００、ユーザ装置ＵＥ）においてＣＰＵが実行する各機能は、ＣＰＵの代わりに、ハードウェアで実行してもよいし、例えばＦＰＧＡ（Field Programmable Gate Array）、ＤＳＰ（Digital Signal Processor）等のプログラマブルロジックデバイスで実行してもよい。
【符号の説明】
【００８９】
１……無線通信システム、１００……マクロ基地局、１１０……無線通信部、１１２……送受信アンテナ、１２０……基地局通信部、１３０……制御部、１３２……解析用接続先判定部、１３４……ユーザ装置分類部、１３６……補正値設定部、１３８……補正値通知部、１４０……接続先選択部、２００……ピコ基地局、２１０……無線通信部、２１２……送受信アンテナ、２２０……基地局通信部、２３０……制御部、３１０……無線通信部、３１２……送受信アンテナ、３３０……制御部、３３２……特性値測定部、３３４……解析用特性値報告部、３３６……特性値補正部、３３８……接続用特性値報告部、３４０……接続部、３５０……記憶部、Ａ……補正値、Ｃ……セル、Ｃｍ……マクロセル、Ｃｐ……ピコセル、Ｉ……接続先情報、Ｌ（０，１，２，３，ｕ）……位置、RSRP……受信電力、RSRPＭ……マクロ受信電力、RSRPＰ……ピコ受信電力、SINR……信号対干渉雑音比、SINRＭ……マクロ信号対干渉雑音比、SINRＰ……ピコ信号対干渉雑音比、ＴＲ，ＴＳ……テーブル、ＵＥ……ユーザ装置、Δ……差分値。
【図１】
0005767530.tif 000002
【図２】
0005767530.tif 000003
【図３】
0005767530.tif 000004
【図４】
0005767530.tif 000005
【図５】
0005767530.tif 000006
【図６】
0005767530.tif 000007
【図７】
0005767530.tif 000008
【図８】
0005767530.tif 000009
【図９】
0005767530.tif 000010
【図１０】
0005767530.tif 000011
【図１１】
0005767530.tif 000012
【図１２】
0005767530.tif 000013
【図１３】
0005767530.tif 000014
【図１４】
0005767530.tif 000015
【図１５】
0005767530.tif 000016
【図１６】
0005767530.tif 000017